(57)【要約】【課題】チェーンを用いることに起因する作動不良や故障を解消し、メンテナンスを簡素化可能であり、作動音を低減し得る貨物自動車用荷台昇降装置を提供する。【解決手段】この荷台昇降装置は、荷台３をシャシフレーム２上に格納した位置から自車両の後方に降ろした位置までスライド移動可能なスライド移動機構６を備え、スライド移動機構６は、シャシフレーム２側に連結された前方シリンダ１０と、荷台３側に連結された荷台スライドシリンダ１１と、シリンダ１０、１１相互を支軸を介して繋ぐ移動フレーム９と、荷台スライドシリンダ１１の作動に応じて荷台３をシャシフレーム２上の前方で案内する前方案内レール３１と、前方シリンダ１０の作動に応じて移動フレーム９をシャシフレーム２後方から自車両後方に降ろした位置まで案内する後方案内レール３３と、前方案内レール３１に案内される荷台３を移動フレーム９上に乗り換えさせる乗換機構とを備えている。【選択図】図３
2008162532.tif 000002
【特許請求の範囲】
【請求項１】
荷台を自車両の後方に降ろして車両等の貨物を積載するとともに、その積載した貨物を前記荷台を格納して運搬するための貨物自動車に用いられ、前記荷台をシャシフレーム上に格納した位置から自車両の後方に降ろした位置までスライド移動可能なスライド移動機構を備える荷台昇降装置であって、
前記スライド移動機構は、シャシフレーム側に連結された前方シリンダと、荷台側に連結された後方シリンダと、これら前方シリンダおよび後方シリンダ相互を支軸を介して繋ぐ移動フレームと、前記後方シリンダの作動に応じて前記荷台をシャシフレーム上の前方で案内する前方案内レールと、前記前方シリンダの作動に応じて前記移動フレームをシャシフレーム後方から自車両の後方に降ろした位置まで案内する後方案内レールと、前記前方案内レールに案内される前記荷台を前記後方案内レールに案内される前記移動フレーム上に乗り換えさせる乗換機構とを備えて構成されていることを特徴とする貨物自動車用荷台昇降装置。
【請求項２】
前記乗換機構は、前記荷台の前端部に設けられた係合フックと、前記移動フレームに設けられた係合軸とを備えて構成されており、
前記係合軸は、前記係合フックに対向する位置に設けられ、自車両の後方にスライド移動してきた前記係合フックに係合可能になっていることを特徴とする請求項１に記載の貨物自動車用荷台昇降装置。
【請求項３】
前記乗換機構は、前記荷台の前端部に設けられるとともに前記前方案内レールに案内されつつ転動する荷台前側ローラと、前記移動フレームに設けられた係合溝とを更に備えて構成されており、
前記係合溝は、前記前方案内レールの端部に対向する位置に設けられ、自車両の後方に前記前方案内レールに沿って転動してきた前記荷台前側ローラを、当該係合溝に係合させるようになっていることを特徴とする請求項２に記載の貨物自動車用荷台昇降装置。
【請求項４】
前記移動フレームは、移動フレーム本体と、当該移動フレーム本体に軸支されてその支軸まわりに回動可能なアームと、当該アームを前方に倒した倒伏位置およびその倒伏位置よりも上方に向けて起こした起立位置にそれぞれ回動させるアーム駆動シリンダとを備えて構成されており、前記係合軸および係合溝は、当該アームの先端に設けられており、当該アームを前方に倒した倒伏位置のときに前記係合フックおよび荷台前側ローラに係合可能な位置にそれぞれ位置するようになっていることを特徴とする請求項３に記載の貨物自動車用荷台昇降装置。
【請求項５】
前記後方案内レールは、前記荷台がスライド移動するスライド方向に沿って設けられた第一案内レールと、その第一案内レールに沿って且つ第一案内レールよりも内側寄りに設けられた第二案内レールとを備えて構成されており、
前記第一案内レールおよび第二案内レール相互のレール間に前記移動フレームが掛け渡されており、当該移動フレームは、前記後方案内レール前方の位置にあっては、前記荷台を前記移動フレーム上に乗り換えさせる第一の案内高さに支持されるようになっており、前記後方案内レール後方の位置にあっては、当該移動フレーム後端を、前記荷台を自車両の後方に降ろす上で必要な高さまで下げるように移動させつつ支持されるようになっていることを特徴とする請求項１〜４のいずれか一項に記載の貨物自動車用荷台昇降装置。
【請求項６】
前記第一案内レールは、前記スライド方向に沿って前記第一の案内高さに対応する高さに設けられ、前記第二案内レールは、前記スライド方向での車両前方側では前記第一の案内高さに対応する高さに設けられ、前記スライド方向での車両後方側では第一および第二案内レール相互が高さ方向に離間するように、その後端部が下方に向けて湾曲して形成されており、
前記移動フレームは、前記スライド方向での車両前方側に設けられた第一の案内ローラと、前記スライド方向での車両後方側に設けられた第二の案内ローラとを有し、
前記第一の案内ローラは、前記第一案内レールに対し前記スライド方向に沿った移動は許容され且つ他の方向への移動は拘束されるように支持されており、前記第二の案内ローラは、前記第二案内レールに対し前記スライド方向に沿った移動は許容され且つ他の方向への移動は拘束されるように支持されていることを特徴とする請求項５に記載の貨物自動車用荷台昇降装置。
【請求項７】
前記前方シリンダは、二本のシリンダをスライド方向に沿って隣接して配置してなるタンデム型であり、当該二本のシリンダの各ロッドは、前記スライド方向での互い違いの方向に伸縮するように配置されており、一方のロッド先端が前記シャシフレーム側に連結され、他方のロッド先端が前記移動フレームに連結されていることを特徴とする請求項１〜６のいずれか一項に記載の貨物自動車用荷台昇降装置。
【請求項８】
荷台を自車両の後方に降ろして車両等の貨物を積載するとともに、その積載した貨物を前記荷台を格納して運搬するための貨物自動車であって、
前記荷台をシャシフレーム上に格納した位置から自車両の後方に降ろした位置までスライド移動可能なスライド移動機構を有する荷台昇降装置を備え、前記荷台昇降装置として、請求項１〜７のいずれか一項に記載の貨物自動車用荷台昇降装置が装備されていることを特徴とする貨物自動車。
【発明の詳細な説明】
【技術分野】
【０００１】
本発明は、貨物を積み下ろすための荷台を自車両の後方に降ろした位置までスライド移動させて、積み下ろしを容易に行えるようにする貨物自動車用荷台昇降装置、および、これを備えた貨物自動車に関する。
【背景技術】
【０００２】
この種の貨物自動車としては、例えば特許文献１に記載の技術が知られている。
同文献に記載の技術では、シャシフレーム上に、後方に向けて傾斜可能なリフトフレームを備えており、このリフトフレーム上に、ローラに案内されてリフトフレーム上をスライド移動可能な荷台（ボデー）が設けられている。この荷台には、その前端に、駆動用のスプロケットおよびアイドラが設けられ、これにチェーンが巻回されている。そして、このチェーンの一端が、上記リフトフレーム前端に固定され、他端がリフトフレーム後端に固定されている。そして、上記駆動用のスプロケットが油圧モータによって駆動されるとスプロケットがチェーンに沿って走行されるようになっており、これにより、リフトフレームの全体に渡って荷台がスライド移動可能になっている。特に、このリフトフレームは、その後端側に斜め下方に屈曲した屈曲部を有し、荷台をリフトフレームの屈曲部に沿って下降させることによって、荷台を地上にほぼ水平状態に降ろすことができるようになっている。
【特許文献１】特開平０５−３３８４８５号公報
【発明の開示】
【発明が解決しようとする課題】
【０００３】
しかしながら、特許文献１に記載の技術では、荷台をチェーンによってスライド移動させるようになっているので、例えば小石等の異物がチェーンに噛み込むことによって作動不良を起こすおそれがある。また、チェーンは使用により延びが生じるため、頻繁にメンテナンスする必要がある。さらに、このチェーンはリフトフレームの全域に亘って張設されているので、チェーンが断裂して故障する可能性もある。しかも、駆動時には、チェーンとスプロケットとの接触により比較的に大きな作動音が発生するため、例えば夜間の住宅地等、静かさが求められる状況では使用できない場合もある。
【０００４】
ここで、チェーンを用いないで、例えば複数の油圧シリンダを用いて荷台をスライド移動させようとする場合、同文献でのチェーンによる駆動部分を、単に油圧シリンダを置き換えることは難しい。なぜなら、チェーンによる駆動では、荷台を後方に向けてスライド移動させつつ傾斜させ、さらに、その荷台を地上にほぼ水平状態に降ろすという回動運動を含む複雑な運動をさせた場合であっても、チェーンが自在に屈曲することによってスライド移動および回動に応じて移動する支点の位置に追従可能なものの、複数の油圧シリンダを用いる場合には、支点自体が移動してしまうと複数の油圧シリンダ相互を単純に連結することができないからである。
【０００５】
そこで、本発明は、このような問題点に着目してなされたものであって、チェーンを用いることに起因する作動不良や故障を解消し、また、メンテナンスを簡素化可能であり、さらに、作動音を低減し得る貨物自動車用荷台昇降装置およびこれを備えた貨物自動車を提供することを目的としている。
【課題を解決するための手段】
【０００６】
上記課題を解決するために、本発明のうち第一の発明は、荷台を自車両の後方に降ろして車両等の貨物を積載するとともに、その積載した貨物を前記荷台を格納して運搬するための貨物自動車に用いられ、前記荷台をシャシフレーム上に格納した位置から自車両の後方に降ろした位置までスライド移動可能なスライド移動機構を備える荷台昇降装置であって、前記スライド移動機構は、シャシフレーム側に連結された前方シリンダと、荷台側に連結された後方シリンダと、これら前方シリンダおよび後方シリンダ相互を支軸を介して繋ぐ移動フレームと、前記後方シリンダの作動に応じて前記荷台をシャシフレーム上の前方で案内する前方案内レールと、前記前方シリンダの作動に応じて前記移動フレームをシャシフレーム後方から自車両の後方に降ろした位置まで案内する後方案内レールと、前記前方案内レールに案内される前記荷台を、前記後方案内レールに案内される前記移動フレーム上に乗り換えさせる乗換機構とを備えて構成されていることを特徴としている。
【０００７】
第一の発明に係る貨物自動車用荷台昇降装置によれば、スライド移動機構を構成する前方シリンダおよび後方シリンダ相互は、移動フレームによって支軸を介して繋がれているので、スライド移動や回動に応じて支点が移動しても、移動フレームで繋がれている部分で所定の範囲内で追従可能である。さらに、この荷台昇降装置によれば、前方案内レールに案内される荷台を移動フレーム上に乗り換えさせる乗換機構を備えているので、この乗換機構によって、シャシフレーム上に格納した位置から自車両の後方に降ろした位置までスライド移動可能な荷台は、後方シリンダの作動に応じて前方案内レールに案内され、次いで、移動フレーム上に乗り換えて引き続き前方シリンダの作動に応じたスライド移動をさせることができる。そのため、例えば一本の軌道上のみに拘束されてスライド移動や回動をさせるように構成した場合と違って、スライド移動や回動に応じて支点が移動するような動きに対しても、その動きに複数の油圧シリンダを追従させる自由度を比較的に大きく得られる。そのため、チェーンを用いずに、複数の油圧シリンダを用いて荷台をスライド移動させることを可能としている。そして、チェーンを用いずに、複数の油圧シリンダを用いて荷台をスライド移動させているので、上述のように、チェーンを用いることに起因する作動不良や故障を解消し、また、メンテナンスを簡素化可能であり、さらに、作動音を低減することができる。
【０００８】
ここで、第一の発明に係る貨物自動車用荷台昇降装置において、前記乗換機構は、前記荷台の前端部に設けられた係合フックと、前記移動フレームに設けられた係合軸とを備えて構成されており、前記係合軸は、前記係合フックに対向する位置に設けられ、自車両の後方にスライド移動してきた前記係合フックに係合可能になっていることは好ましい。このような構成であれば、荷台が自車両の後方にスライド移動する動きを利用して係合フックおよび係合軸が係合するようになっているので、簡単な構成で乗換機構を構成する上で好適である。
【０００９】
さらに、前記乗換機構は、前記荷台の前端部に設けられるとともに前記前方案内レールに案内されつつ転動する荷台前側ローラと、前記移動フレームに設けられた係合溝とを更に備えて構成されており、前記係合溝は、前記前方案内レールの端部に対向する位置に設けられ、自車両の後方に前記前方案内レールに沿って転動してきた前記荷台前側ローラを、当該係合溝に係合させるようになっていることは好ましい。このような構成であれば、乗り換え後の係合状態を、上記係合軸および係合フック相互による係合と、当該荷台前側ローラおよび係合溝相互による結合とによって係合させることができる。つまり、この乗換機構は、二重の係合手段によって係合させている。したがって、スライド移動時において、例えば荷台の横ずれや振れ等をより確実に防止可能であり、一層確実な乗り換えを可能とする上でより好適である。
【００１０】
また、第一の発明に係る貨物自動車用荷台昇降装置において、前記移動フレームは、移動フレーム本体と、当該移動フレーム本体に軸支されてその支軸まわりに回動可能なアームと、当該アームを前方に倒した倒伏位置およびその倒伏位置よりも上方に向けて起こした起立位置にそれぞれ回動させるアーム駆動シリンダとを備えて構成されており、前記係合軸および係合溝は、当該アームの先端に設けられており、当該アームを前方に倒した倒伏位置のときに前記係合フックおよび荷台前側ローラに係合可能な位置にそれぞれ位置するようになっていることは好ましい。このような構成であれば、上記乗換機構による荷台の乗り換えを倒伏位置において行った後に、係合軸およびこれに係合している係合フック、並びに係合溝およびこれに係合している荷台前側ローラを回動させて、アームを上方に向けて起こした起立位置に移動させることができる。これにより、乗り換えた荷台の位置をさらに所望の位置に位置させることができる。したがって、例えばスライド移動する荷台の位置のより細かい位置決めや他の部品との干渉等の防止や寸法の取り合いに余裕をもたせる等の自由度を広げる上でより好適である。
【００１１】
また、第一の発明に係る貨物自動車用荷台昇降装置において、前記後方案内レールは、前記荷台がスライド移動するスライド方向に沿って設けられた第一案内レールと、その第一案内レールに沿って且つ第一案内レールよりも内側寄りに設けられた第二案内レールとを備えて構成されており、前記第一案内レールおよび第二案内レール相互のレール間に前記移動フレームが掛け渡されており、当該移動フレームは、前記後方案内レール前方の位置にあっては、前記荷台を前記移動フレーム上に乗り換えさせる第一の案内高さに支持されるようになっており、前記後方案内レール後方の位置にあっては、当該移動フレーム後側を、前記荷台を自車両の後方に降ろす上で必要な高さまで下げるように移動させつつ支持されるようになっていることは好ましい。このような構成であれば、上記乗換機構による荷台の乗り換えを円滑に行わせる構成として好適であり、さらに、その乗り換え後に、荷台を地上にほぼ水平状態に降ろすようにする構成として好適である。
【００１２】
また、前記後方案内レールを、第一案内レールおよび第二案内レールを備える構成とする場合において、前記第一案内レールは、前記スライド方向に沿って前記第一の案内高さに対応する高さに設けられ、前記第二案内レールは、前記スライド方向での車両前方側では前記第一の案内高さに対応する高さに設けられ、前記スライド方向での車両後方側では第一および第二案内レール相互が高さ方向に離間するように、その後端部が下方に向けて湾曲して形成されており、前記移動フレームは、前記スライド方向での車両前方側に設けられた第一の案内ローラと、前記スライド方向での車両後方側に設けられた第二の案内ローラとを有し、前記第一の案内ローラは、前記第一案内レールに対し前記スライド方向に沿った移動は許容され且つ他の方向への移動は拘束されるように支持されており、前記第二の案内ローラは、前記第二案内レールに対し前記スライド方向に沿った移動は許容され且つ他の方向への移動は拘束されるように支持されていることは好ましい。このような構成であれば、上記乗換機構による乗り換え後に、荷台を地上にほぼ水平状態に降ろすようにする構成としてより好適である。
【００１３】
また、第一の発明に係る貨物自動車用荷台昇降装置において、前記前方シリンダは、二本のシリンダをスライド方向に沿って隣接して配置してなるタンデム型であり、当該二本のシリンダの各ロッドは、前記スライド方向での互い違いの方向に伸縮するように配置されており、一方のロッド先端が前記シャシフレーム側に連結され、他方のロッド先端が前記移動フレームに連結されていることは好ましい。このような構成であれば、シャシフレーム上の限定されたスペースに前方シリンダを収容し且つそのスライド移動方向へのシリンダストロークを長く確保する構成として好適である。
【００１４】
また、本発明のうち第二の発明は、荷台を自車両の後方に降ろして車両等の貨物を積載するとともに、その積載した貨物を前記荷台を格納して運搬するための貨物自動車であって、前記荷台をシャシフレーム上に格納した位置から自車両の後方に降ろした位置までスライド移動可能なスライド移動機構を有する荷台昇降装置を備え、前記荷台昇降装置として、第一の発明に係る貨物自動車用荷台昇降装置が装備されていることを特徴としている。
【００１５】
第二の発明に係る貨物自動車によれば、第一の発明に係る貨物自動車用荷台昇降装置が装備されているので、チェーンを用いずに、油圧シリンダを用いて荷台をシャシフレーム上に格納した位置から自車両の後方に降ろした位置までスライド移動させることができる。したがって、チェーンを用いることに起因する作動不良や故障を解消し、また、メンテナンスを簡素化可能であり、さらに、作動音を低減することができる。
【発明の効果】
【００１６】
上述のように、本発明によれば、チェーンを用いることに起因する作動不良や故障を解消し、また、メンテナンスを簡素化可能であり、さらに、作動音を低減し得る貨物自動車用荷台昇降装置およびこれを備えた貨物自動車を提供することができる。
【発明を実施するための最良の形態】
【００１７】
以下、本発明の一実施形態について、図面を適宜参照しつつ説明する。
図１は、本発明に係る貨物自動車用荷台昇降装置を備える貨物自動車の一実施形態である車両運搬車の側面図である。また、図２は、その車両運搬車の荷台を説明する側面図である。
図１に示すように、この車両運搬車１は、そのシャシフレーム２上に荷台３を備えている。この荷台３は、図２に示すように、その前部に、いわゆる鳥居５が一体に設けられており、また、荷台３の後部には、後煽り４が装備されている。この後煽り４は、前後に回動可能に取付けられており、同図に示す垂直な閉じ位置、および後方に回動して車両を乗り入れるときのスロープとなる開き位置（後述する）のそれぞれに位置可能になっている。
【００１８】
また、この荷台３は、図２に示すように、その車両幅方向両側に、荷台縦根太２５をそれぞれ備えている。この荷台縦根太２５は、角筒状の長尺の部材である。そして、溝形鋼の溝側を幅方向での内側に向けて対向配置されている（後に示す図６参照）。そして、この荷台３の後端下部には、荷台３が自車両の後方に降ろされたときに地上ＧＬに当接してスライド移動方向（自車両の前後方向でもある）への移動を補助する荷台接地ローラ２６が設けられている。
【００１９】
ここで、この荷台３の前端部には、車両幅方向両側に、係合フック２３および荷台前側ローラ２４がそれぞれ対をなして設けられている。係合フック２３は、荷台３前部の裏面から下方に向けて張り出して設けられている。この係合フック２３は、略鉤型をなしており、その略鉤型の凹円形部２３ｋが係合のための溝になっている。この凹円形部２３ｋの中心の軸線は車両幅方向を向いている。そして、その凹円形部２３ｋが車両後方側を向いて取り付けられている。また、荷台前側ローラ２４は、左右の荷台縦根太２５の幅方向内側の面に、車両幅方向を向く支軸を介してその軸まわりに回動可能に装着されている。なお、係合フック２３の凹円形部２３ｋの中心の軸線と荷台前側ローラ２４の軸心とは、ほぼ同軸に位置するように設けられている。
【００２０】
そして、図１に示すように、この車両運搬車１は、その荷台３とシャシフレーム２との間に、スライド移動機構６を備える荷台昇降装置を装備している。この荷台昇降装置は、そのスライド移動機構６によって、荷台３を、シャシフレーム２上に格納した同図に示す格納位置、およびその格納位置から荷台３を自車両の後方に且つ地上ＧＬと略水平となる位置まで降ろした乗込位置（後述する）までスライド移動可能に構成されている。これにより、この車両運搬車１は、乗込位置で車両を荷台３に積載するとともに、その積載した車両を、荷台３を格納位置に格納して運搬可能になっている。
【００２１】
以下、上記スライド移動機構６について詳しく説明する。なお、図３は、スライド移動機構の平面図である。
同図に示すように、このスライド移動機構６は、アクチュエータ部７およびフレーム部８を備えている。フレーム部８は、上記シャシフレーム２の上面に固定されており、前方案内レール３１および後方案内レール３３を備えて構成されている。一方、アクチュエータ部７は、荷台３とフレーム部８との間に装備され、前方シリンダ１０、荷台スライドシリンダ１１および移動フレーム９を備えて構成されている。
【００２２】
まず、フレーム部８について詳しく説明する。なお、図４は、フレーム部の説明図であり、同図（ａ）はその平面図、同図（ｂ）はその側面図である。
フレーム部８は、図４に示すように、上記シャシフレーム２側に固定される梯子型の固定フレーム本体２９を備えて構成されている。この固定フレーム本体２９は、二本の固定フレーム縦根太２８を有し、これら二本の固定フレーム縦根太２８は、上記荷台３がスライド移動するスライド方向（自車両前後方向でもある）に沿って且つ車両幅方向に適宜の距離を隔てて相対向して設けられている。そして、これら二本の固定フレーム縦根太２８は、上記スライド方向に適宜離間して設けられた複数（この例では９本）の固定フレーム横根太２７によって、相互が幅方向に連結されており、これら固定フレーム縦根太２８および固定フレーム横根太２７によって梯子型をなしている。そして、この固定フレーム本体２９には、その幅方向中央且つ最も車両前方側に位置する固定フレーム横根太２７の上面に、上記前方シリンダ１０を連結するための前方シリンダ連結ブラケット１９が設けられている。また、このフレーム部８には、固定フレーム本体２９の後端上部に、荷台縦根太受けローラ３９がブラケット３９ａを介して設けられている。この荷台縦根太受けローラ３９は、荷台３の荷台縦根太２５をシャシフレーム２側の下方から支持可能な位置に設置され、荷台３のスライド方向に沿って転動可能に軸支されており、スライド移動する荷台３を円滑にスライド移動させられるようになっている。
【００２３】
そして、この固定フレーム本体２９には、その上面（高さ方向での上側）に、上記前方案内レール３１および後方案内レール３３がそれぞれ設けられる。
前方案内レール３１は、シャシフレーム２上での車両前方側に一対をなして設けられている。各前方案内レール３１は、荷台３をスライド移動させるべきスライド方向に沿って車両幅方向の両側にそれぞれ設けられている。各前方案内レール３１は、略コ字型をなす溝形鋼であり、その溝側を幅方向での外側にそれぞれ向けて配置されることで対をなしている。そして、この一対の前方案内レール３１の略コ字状の溝に、上記荷台３の前端部に設けられた荷台前側ローラ２４が、スライド方向に移動可能に嵌合されており、これにより、この一対の前方案内レール３１は、同図（ｂ）に示すように、上記荷台３をシャシフレーム２上の前方側の所定の架設範囲である前方架設範囲Ｗ１でスライド方向に沿って案内可能になっている。なお、前方案内レール３１は、同図（ｂ）に示すように、車両前側に、前端から後方に向けて高さ方向上方に傾斜する傾斜部３２を有し、この傾斜部３２の後端よりも後方の部分は、シャシフレーム２上面と略並行に形成された水平部になっている。
【００２４】
これに対し、後方案内レール３３は、前方案内レール３１よりもシャシフレーム２上での車両後方側に設けられており、同図（ｂ）に示すように、後方側の所定の架設範囲である後方架設範囲Ｗ２でスライド方向に沿って上記移動フレーム９を案内可能になっている。ここで、後方案内レール３３と前方案内レール３１とは連続しておらず、高さ方向において、前方案内レール３１は、後方案内レール３３よりも高い位置に設けられており、それぞれ別個の軌道を構成している。なお、前方案内レール３１の前方架設範囲Ｗ１の後端と後方案内レール３３の後方架設範囲Ｗ２の前端とは、スライド方向では僅かにオーバーラップしている。
【００２５】
そして、この後方案内レール３３は、同図（ａ）に示すように、上記スライド方向に沿って固定フレーム本体２９幅方向での外側に設けられた直線状の一対の第一案内レール３８と、その第一案内レール３８に沿って且つ第一案内レール３８よりも幅方向での内側寄りに設けられる一対の第二案内レール３４とを備えて構成されている。後方案内レール３３も、前方案内レール３１と同じ略コ字型をなす溝形鋼を用いて形成されている。そして、直線状をなす一対の第一案内レール３８は、その溝側を幅方向での内側に向けて対向配置され、荷台３をスライド移動させる方向に沿って幅方向両側にそれぞれ設けられている。一方、一対の第二案内レール３４は、その溝側を幅方向での外側に向けてそれぞれ配置されている（後に示す図６参照）。ここで、この一対の第二案内レール３４は、同図（ｂ）に示すように、後方架設範囲Ｗ２のうちの、スライド方向での車両前方側での所定の架設範囲である前側架設範囲Ｗ３ではレールの軌道が直線状をなす直線部３５として形成されている。そして、後方架設範囲Ｗ２のうちの前側架設範囲Ｗ３よりも後方の部分は、曲線部３６として形成されている。この曲線部３６は、第一および第二案内レール３８、３４相互が高さ方向に離間するように、その後端部が下方に向けて湾曲してなる曲線軌道を有して形成されている。
【００２６】
次に、アクチュエータ部７について図３ないし図５を適宜参照しつつ詳しく説明する。なお、図５は、アクチュエータ部の説明図であり、同図（ａ）はその側面図、同図（ｂ）は同図（ａ）でのＡ矢視図、同図（ｃ）は同図（ａ）でのアーム駆動シリンダが伸長された状態の要部を示す図である。また、図６は図５（ｃ）でのＺ−Ｚ断面図である。
アクチュエータ部７は、図３に示すように、前方シリンダ１０および荷台スライドシリンダ１１を備え、これら前方シリンダ１０および荷台スライドシリンダ１１は、車両幅方向中心に且つスライド方向に沿って配置されている。そして、前方シリンダ１０は、その車両前方側のロッド先端１０ａが、上記前方シリンダ連結ブラケット１９に支軸を介して連結されるようになっている。これにより、前方シリンダ１０は、そのロッド先端１０ａがシャシフレーム２側に連結されている。
【００２７】
ここで、この前方シリンダ１０は、図５（ａ）に示すように、二本のシリンダ１３、１４をスライド方向に沿って隣接して配置してなるタンデム型であり、各ロッド相互は、スライド方向での互い違いの方向に伸縮するように配置されている。本実施形の例では、二本のシリンダ１３、１４のうちの上側の移動シリンダ上１４が、車両前方側を向くロッドを有しており、そのロッド先端１０ａ（前方シリンダ１０としてのロッド先端でもある）が、上述のように、シャシフレーム２側に車両幅方向を向く支軸を介してその軸まわりに回動可能に連結されている。他方、下側の移動シリンダ下１３は、そのロッド先端１０ｂが、前記移動フレーム９前方側に、車両幅方向を向く支軸を介してその軸まわりに回動可能に連結される。
【００２８】
これに対し、上記荷台スライドシリンダ１１は、図３に示すように、前方シリンダ１０よりも車両後方側に、上記スライド方向に沿って配置されている。そして、そのシリンダ本体の基端部１１ａが、荷台３に連結するためのブラケットである荷台連結ブラケット２０を介して、上記荷台３の、車両後方側の裏面に且つ幅方向での中央に、車両幅方向を向く支軸を介してその軸まわりに回動可能に連結されている。また、この荷台スライドシリンダ１１は、そのロッド先端１１ｂが移動フレーム９に対して支軸を介して連結されている。つまり、移動フレーム９は、図５（ａ）に示すように、上記前方シリンダ１０および荷台スライドシリンダ１１相互を、支軸を介して繋いでいる。なお、この荷台スライドシリンダ１１が上記後方シリンダに対応している。
【００２９】
そして、この移動フレーム９は、図５（ｂ）に示すように、略枠型に構成された移動フレーム本体１５を備えている。この移動フレーム本体１５は、車両前後方向に沿って且つ車両幅方向に適宜の間隔を隔てて設けられた二本の移動フレーム縦根太４２を有している。そして、これら二本の移動フレーム縦根太４２は、相互が二本の移動フレーム横根太４１によって連結されることで平面視が略矩形の枠型をなしている。さらに、この枠型の移動フレーム本体１５には、その二本の移動フレーム縦根太４２の車両後方側の先端１５ａ相互を繋ぐようにアーム１８が連結されている。
【００３０】
このアーム１８は、側面視は、略Ｌ字型をなしており、そのＬ字の内側を車両前方の側に向けた状態でその一方の腕１８ａの先端が移動フレーム縦根太４２の先端１５ａに連結されている。なお、アーム１８は、図６に示すように、その他方の腕１８ｂの正面視の形状は、二本の移動フレーム縦根太４２相互を繋ぐように略門型をなしている。ここで、上記荷台スライドシリンダ１１は、同図に示すように、そのロッド先端１１ｂが、略門型をなす他方の腕１８ｂの車両幅方向中央の位置に、車両幅方向を向く支軸を介してその軸まわりに回動可能に連結されている。そして、このアーム１８は、各移動フレーム縦根太４２の先端１５ａに対し、車両幅方向を向く支軸５０を介して連結されており、その支軸５０まわりに回動可能になっている。
【００３１】
さらに、図５に示すように、上記二本の移動フレーム縦根太４２の上面には、アーム駆動シリンダ１２がそれぞれ設けられている。このアーム駆動シリンダ１２は、その基端部１２ａが、移動フレーム縦根太４２の車両前方の上面に、車両幅方向を向く支軸５１を介して連結されており、その支軸５１まわりに回動可能になっている。さらに、このアーム駆動シリンダ１２は、そのロッド１２ｂが、車両後方側に向けて配置され、そのロッド１２ｂの先端が、側面視が略Ｌ字型をなすアーム１８の他方の腕１８ｂの略中央部に、車両幅方向を向く支軸５２を介して、その支軸５２まわりに回動可能に連結されている。なお、これら二本のアーム駆動シリンダ１２は、同時に同方向に駆動するように制御される。これにより、アーム１８は、アーム駆動シリンダ１２が駆動され伸縮すると、移動フレーム本体１５に対して支軸５０まわりに回動されて、アーム駆動シリンダ１２が収縮したときには、アーム１８の他方の腕１８ｂを前方に倒した倒伏位置（同図（ａ））に位置し、また、アーム駆動シリンダ１２が伸長したときには、その倒伏位置よりも上方に向けて起こした起立位置（同図（ｃ））に位置するようになっている。
【００３２】
さらに、図６に示すように、この移動フレーム９には、そのアーム１８の他方の腕１８ｂ先端且つその幅方向での両側に、係合フック嵌合ピン２２がそれぞれ設けられている。この左右の係合フック嵌合ピン２２は、アーム１８の他方の腕１８ｂを前方に倒した倒伏位置の状態において、上記荷台３の係合フック２３に対向する高さ（第一の案内高さともいう）に位置するように設けられている。
【００３３】
また、この移動フレーム９には、同図に示すように、そのアーム１８の他方の腕１８ｂ先端に且つ左右の係合フック嵌合ピン２２よりもさらに車両幅方向外側の位置に、略コ字型をなす溝形鋼を用いて構成された荷台前側ローラ係合溝２１を備えている。この荷台前側ローラ係合溝２１は、アーム１８を前方に倒した倒伏位置において、上記前方案内レール３１の端部に対向する位置に係合溝の開口部が対向する第一の案内高さに位置するようになっている。
【００３４】
さらに、この移動フレーム９は、図５ないし図６に示すように、その移動フレーム本体１５に、移動フレーム後ローラ１６および移動フレーム前ローラ１７を備えている。
図５に示すように、移動フレーム後ローラ１６は、スライド方向での車両後方側に設けられている。そして、移動フレーム本体１５の内側の側面から幅方向内側に向けて張り出しており、車両幅方向を向く支軸を介してその軸まわりに回動可能になっている。また、移動フレーム前ローラ１７は、移動フレーム後ローラ１６よりもスライド方向での車両前方側に距離を隔てて設けられている。そして、移動フレーム本体１５の外側の側面から幅方向外側に向けて張り出しており、車両幅方向を向く支軸を介してその軸まわりに回動可能になっている。そして、図３に示すように、この移動フレーム９は、その移動フレーム前ローラ１７および移動フレーム後ローラ１６が、上述したフレーム部８の後方案内レール３３に支持されている。
【００３５】
以下、後方案内レール３３による、移動フレーム９の支持およびそのスライド移動部分の構成についてより詳しく説明する。
図６に示すように、移動フレーム９は、第一案内レール３８および第二案内レール３４相互のレール間に掛け渡され、スライド方向に沿って移動可能且つ他の方向への移動が拘束されつつ支持されている。詳しくは、同図に示すように、移動フレーム後ローラ１６は、コ字状の第二案内レール３４にスライド移動可能に嵌合されており、また、移動フレーム前ローラ１７は、コ字状の第一案内レール３８にスライド移動可能に嵌合されている。これにより、移動フレーム前ローラ１７は、第一案内レール３８に対し前記スライド方向に沿った移動は許容され且つ他の方向への移動は拘束されるように支持されており、移動フレーム後ローラ１６は、第二案内レール３４に対し前記スライド方向に沿った移動は許容され且つ他の方向への移動は拘束されるように支持されている。ここで、上記第一の案内ローラには、移動フレーム前ローラ１７が対応し、上記第二の案内ローラには、移動フレーム後ローラ１６が対応している。
【００３６】
そして、第一案内レール３８は、スライド方向に沿って前記第一の案内高さに対応する高さに設けられている。一方、第二案内レール３４は、スライド方向での車両前方側（前側架設範囲Ｗ３）では前記第一の案内高さに対応する高さに設けられている。これにより、第一および第二案内レール３８、３４間に掛け渡されている移動フレーム９は、後方案内レール３３前方側（前側架設範囲Ｗ３）の位置にあっては、上記アーム１８を前方に倒した倒伏位置において、係合フック嵌合ピン２２が、前方案内レール３１の端部に対向する位置となる第一の案内高さに位置するように移動フレーム９が支持される。
【００３７】
さらに、この第二案内レール３４は、前記スライド方向での車両後方側（前側架設範囲Ｗ３よりも後方の部分）では第一および第二案内レール相互が高さ方向に離間するように、その後端部が下方に向けて湾曲して形成されている。これにより、レール３８、３４相互間に掛け渡される移動フレーム９は、後述する動作の説明でより明らかにするように、後方案内レール３３後方の位置にあっては、図７に要部（後述する図１３でのＢ部）を拡大して示すように、移動フレーム９後端を、荷台３を自車両の後方に降ろす上で必要な高さまで下げるように移動させつつ支持するようになっている。
【００３８】
そして、このスライド移動機構６は、前方案内レール３１に案内される荷台３を、前方案内レール３１から移動フレーム９上に乗り換えさせる乗換機構を更に備えて構成されている。
以下、この乗換機構について詳しく説明する。
この乗換機構は、図２に示す、荷台３の前端部に設けられた係合フック２３と、前記移動フレーム９に設けられた係合フック嵌合ピン２２とを備えて構成されている。この係合フック嵌合ピン２２は、係合フック２３に係合可能な係合軸として設けられている。すなわち、上記荷台スライドシリンダ１１を伸長させると、その伸長に応じて荷台３は前方案内レール３１に案内されつつ車両後方にスライド移動するが、このとき、係合フック嵌合ピン２２は、上述のように、係合フック２３にスライド方向で対向する位置に設けられている。これにより、自車両の後方にスライド移動してきた係合フック２３に係合可能になっている。
【００３９】
さらに、この乗換機構は、係合フック２３および係合フック嵌合ピン２２相互を係合させるのみでなく、荷台前側ローラ２４を、それまで案内されていた前方案内レール３１からアーム１８に形成されている荷台前側ローラ係合溝２１に挿入させるようになっている。
すなわち、上述のように、移動フレーム９は、荷台前側ローラ係合溝２１を備えており、この荷台前側ローラ係合溝２１は、アーム１８を前方に倒した倒伏位置において、上記前方案内レール３１の端部に対向する位置に位置している。これにより、上記荷台スライドシリンダ１１を伸長させると、その伸長に応じて荷台３は前方案内レール３１に案内されつつ車両後方にスライド移動するが、このとき、荷台前側ローラ２４は、前方案内レール３１から荷台前側ローラ係合溝２１に挿入されて係合される。そのため、前方案内レール３１に案内される荷台３を、前方案内レール３１から移動フレーム９上に乗り換えさせ、その乗り換えた状態をより確実に支持可能になっている。なお、対向方向での前方案内レール３１端部との隙間は、荷台前側ローラ２４が荷台前側ローラ係合溝２１に円滑に進入させて自身の溝に係合可能なように、ローラの直径よりも狭い隙間に設けられている。ここで、上記係合溝には、この荷台前側ローラ係合溝２１が対応している。
【００４０】
次に、上記荷台昇降装置およびこれを備える車両運搬車１の作用・効果について図１、および図８〜図１５を適宜参照しつつ説明する。なお、図８〜図１５は、スライド移動機構の動作を説明する図であり、各図において、（ａ）はその説明に対応する状態での車両運搬車の側面図を示し、（ｂ）は理解を容易にするために、スライド移動機構のアクチュエータ部を模式的な図で示している。
【００４１】
図１に示すように、この車両運搬車１が走行状態のときには、その荷台３は、シャシフレーム２上に格納された格納位置にある。そして、この車両運搬車１は、その荷台３を自車両の後方に降ろし、例えば他の車両を積車する際には、まず、図８に示すように、上記荷台スライドシリンダ１１が伸長される（同図（ｂ）参照）。これにより、荷台３は、前方案内レール３１に沿って自車両の後方に後退を開始する。このとき、前方案内レール３１は、その車両前方部分に傾斜部３２を有するので、荷台３は、その荷台前側ローラ２４が前方案内レール３１の傾斜部３２に沿って一端上昇し、これにより、荷台３は、傾斜部３２の高さだけ僅かに後ろ下がりに傾斜しつつ自車両の後方にスライド移動していく。
【００４２】
次いで、図９に示すように、更に荷台スライドシリンダ１１を伸長することにより（同図（ｂ）参照）、荷台３は前方案内レール３１に沿って自車両の後方にスライド移動する。このとき、荷台３は、その荷台縦根太２５の下面両側が、シャシフレーム２側に設けられた荷台縦根太受けローラ３９によって案内されている。そして、荷台スライドシリンダ１１を伸長すると、荷台３前側の係合フック２３は、係合フック２３に対向するように上記第一の案内高さに合わせて設けられた係合フック嵌合ピン２２に対し、自車両前後方向に対向する係合位置に移動していく（同図（ｂ）参照）。そして、荷台スライドシリンダ１１が全伸長したとき、荷台前側ローラ２４は、それまで案内されていた前方案内レール３１からアーム１８に形成されている荷台前側ローラ係合溝２１に入るとともに、荷台３前側の係合フック２３がアーム１８に形成されている係合フック嵌合ピン２２と嵌合する。これにより、荷台３は、前方案内レール３１に案内されていた状態から移動フレーム９上に乗り換える。
【００４３】
次いで、図１０に示すように、移動フレーム９が備える、アーム１８に連結されているアーム駆動シリンダ１２が伸長される。これにより、アーム１８は、上方に向けて起こした起立位置に回動する。そのため、その先端に設けられている前側ローラ係合溝２１および係合フック嵌合ピン２２は、アーム１８が前方に倒れた倒伏位置のときよりも高い位置に移動し、荷台３は、自身の荷台前側ローラ２４および係合フック２３がそれぞれ前側ローラ係合溝２１および係合フック嵌合ピン２２に嵌合しているので、さらに後ろ下がりに傾斜する。このとき、荷台３は、アーム１８と荷台縦根太受けローラ３９とで支えられている。なお、アーム１８側の荷重は、荷重の向きが上方向のときは、荷台３前側の係合フック２３とアーム１８の係合フック嵌合ピン２２とが嵌合しているため、荷台３の転倒が確実に防止されている。
【００４４】
次いで、図１１に示すように、タンデム型の前方シリンダ１０のうち下側の移動シリンダ下１３が伸長し（同図（ｂ）参照）、これにより、移動フレーム９は、後方案内レール３３に沿って自車両の後方へのスライド移動を開始する。したがって、その移動フレーム９上に乗り換えている荷台３も後方へスライド移動する。そして、移動シリンダ下１３がさらに伸長すると、傾斜状態の荷台３がさらにその傾斜状態のまま後ろに下がり、これにより、荷台３後端の荷台接地ローラ２６が接地を開始する。このとき、荷台３は、アーム１８と荷台接地ローラ２６とで支えられる（同図（ａ）参照）。
【００４５】
次いで、図１２に示すように、下側の移動シリンダ下１３がさらに伸長し（同図（ｂ）参照）、移動フレーム９に付設されている移動フレーム後ローラ１６（上記第二の案内ローラに対応）が、内側の第二案内レール３４の直線部３５の後端に移動する（同図（ａ）参照）。このとき、荷台３は、アーム１８と荷台接地ローラ２６とで支えられており、荷台３の後端は、荷台接地ローラ２６の転動によって、地上ＧＬの上を円滑に後方にスライド移動することができる。
【００４６】
次いで、図１３に示すように、前方シリンダ１０のうち上側の移動シリンダ上１４が伸長する（同図（ｂ）参照）。このとき、移動フレーム９は、その移動フレーム後ローラ１６が、第二案内レール３４の曲線部３６の途中に移動する。これにより、移動フレーム９は、移動フレーム前ローラ１７が直線状の第一案内レール３８に支持されているので、その支持された高さを維持したまま車両後方に移動する。一方、移動フレーム後ローラ１６は、曲線部３６に沿って高さ方向に離間するように下方に向けて移動するので、移動フレーム９は、その後端が下がりつつ全体が回転する。そのため、移動フレーム９後端のアーム１８に繋がっている荷台３は、自車両の後方で地上ＧＬに対し水平となる方向に降下を開始する。このとき、荷台３は、アーム１８と荷台接地ローラ２６とで支えられている。
【００４７】
そして、図１４に示すように、移動シリンダ上１４がさらに伸長し（同図（ｂ）参照）、これにより、移動フレーム９の移動フレーム後ローラ１６が、第二案内レール３４の曲線部３６に沿ってさらに下方に移動する。そして、さらに移動シリンダ上１４が全伸長したときに移動フレーム後ローラ１６は曲線部３６の端部まで移動し、これにより、荷台３は、同図（ａ）に示すように、自車両の後方に略水平姿勢となる乗込位置まで降ろされる。このとき、荷台３は、アーム１８と荷台接地ローラ２６とで支えられている。
【００４８】
最後に、図１５に示すように、後煽り４を後方に回動して車両を乗り入れるときのスロープとなる開き位置にし、その後、積載する貨物である車両Ｓを積車することができる。また、初めに積車されていれば、車両Ｓを降ろすことができる。なお、上記乗込位置から格納位置まで車両Ｓを積み込む際には、上述した手順とは逆の手順によって、車両Ｓを積み込む。
【００４９】
上述のように、この車両運搬車１によれば、その荷台昇降装置は、スライド移動機構６を構成する前方シリンダ１０および荷台スライドシリンダ１１相互が、移動フレーム９によって支軸を介して繋がれているので、スライド移動の際の回動に応じて複数の油圧シリンダを追従させる自由度を比較的に大きく得られる。したがって、スライド移動の際の回動に応じて支点の相対的な位置が移動しても、移動フレーム９で回動可能に繋がれている部分で所定の範囲内で追従可能である。
【００５０】
そして、この荷台昇降装置によれば、前方案内レール３１に案内される荷台３を移動フレーム９上に乗り換えさせる乗換機構を備えているので、この乗換機構によって、シャシフレーム２上に格納した位置から自車両の後方に降ろした位置までスライド移動可能な荷台３は、前方案内レール３１に案内され、次いで、移動フレーム９上に乗り換えて引き続き後方案内レール３３に沿ってスライド移動させることができる。そのため、例えば一本の連続する軌道上のみに拘束されてスライド移動させるように構成した場合と違って、回動に応じて支点が移動するような動きに対しても、より好適に追従させることが可能である。したがって、チェーンを用いずに、複数の油圧シリンダ１０，１１を用いて荷台３をスライド移動させる上でより好適である。
【００５１】
さらに、チェーンを用いずに、複数の油圧シリンダ１０，１１を用いて荷台３をスライド移動させているので、上述のように、チェーンを用いることに起因する作動不良や故障を解消し、また、メンテナンスを簡素化可能であり、さらに、作動音を低減することができる。
また、この荷台昇降装置によれば、前記乗換機構は、荷台３の前端部に設けられた係合フック２３と、移動フレーム９に設けられた係合軸である係合フック嵌合ピン２２とを備えて構成されており、係合フック嵌合ピン２２は、前方案内レール３１の端部に対向する位置に位置するように設けられ、自車両の後方にスライド移動してきた係合フック２３に係合可能になっているので、荷台３が自車両の後方にスライド移動する動きを利用して係合フック２３および係合フック嵌合ピン２２相互を係合させることができる。そのため、簡単な構成で乗換機構を構成することを可能としている。
【００５２】
さらに、この乗換機構は、係合フック２３および係合フック嵌合ピン２２相互を係合させるのみでなく、荷台前側ローラ２４は、それまで案内されていた前方案内レール３１からアーム１８に形成されている荷台前側ローラ係合溝２１に入るようになっているので、乗り換え後の係合状態を二重の係合手段によって係合させている。したがって、スライド移動時において、例えば荷台の横ずれや振れ等が確実に防止されており、一層確実な乗り換えを可能としている。
【００５３】
また、この荷台昇降装置によれば、後方案内レール３３は、スライド方向に沿って設けられた第一案内レール３８と、その第一案内レール３８に沿って且つ第一案内レール３８よりも内側寄りに設けられる第二案内レール３４とを備えて構成されており、第二案内レール３４は、第一および第二案内レール３８、３４相互が高さ方向に離間するように、その後端部が下方に向けて湾曲して形成されており、さらに、第一案内レールおよび第二案内レール相互のレール３８、３４間に移動フレーム９が掛け渡されており、この移動フレーム９は、後方案内レール３３前方の位置にあっては、荷台３を移動フレーム９上に乗り換えさせる第一の案内高さに支持されるようになっており、後方案内レール３３後方の位置にあっては、移動フレーム９後端を、荷台３を自車両の後方に降ろす上で必要な高さまで下げるように移動させつつ支持するようになっているので、上記乗換機構による荷台３の乗り換えを円滑に行わせることを可能とし、さらに、その乗り換え後に、荷台３を地上にほぼ水平状態に降ろすことを可能としている。
【００５４】
また、この荷台昇降装置によれば、前方シリンダ１０は、二本のシリンダ１３、１４をスライド方向に沿って隣接して配置してなるタンデム型であり、当該二本のシリンダ１３、１４の各ロッドは、荷台３のスライド方向での互い違いの方向に伸縮するように配置されており、移動シリンダ上１４のロッド先端がシャシフレーム２側に連結され、他方の、移動シリンダ下１３のロッド先端が移動フレーム９に連結されているので、シャシフレーム２上の限定されたスペースに前方シリンダ１０を収容し、且つスライド移動方向へのシリンダストロークを長く確保することを可能としている。
【００５５】
また、この荷台昇降装置によれば、移動フレーム９は、移動フレーム本体１５と、この移動フレーム本体１５に軸支されてその支軸まわりに回動可能なアーム１８と、このアーム１８を前方に倒した位置およびその倒した位置よりも上方に向けて起こした位置にそれぞれ回動させるアーム駆動シリンダ１２とを備えて構成されており、アーム１８の先端側に係合フック嵌合ピン２２が設けられているので、上記乗換機構による荷台３の乗り換え後に、係合フック嵌合ピン２２およびこれに係合している係合フック２３を設定される所定の位置にさらに移動させ、これにより乗り換えた荷台３の位置をさらに所望の位置に位置させることができる。そのため、スライド移動する荷台３の位置のより細かい位置決めが可能であり、また、他部品との干渉が防止され、寸法の取り合いに余裕をもたせることを可能としている。
【００５６】
また、この荷台昇降装置によれば、シャシフレーム２側の後端上部には、スライド移動する荷台３の荷台縦根太２５を下方から支持可能な荷台縦根太受けローラ３９が設けられており、荷台３の後端下部には、荷台３が自車両の後方に降ろされたときに地上ＧＬに当接してスライド移動方向への移動を補助する荷台接地ローラ２６が設けられているので、これら荷台縦根太受けローラ３９および荷台前側ローラ２６によって、荷台３のスライド移動の際の荷重を支えることが可能であり、また、これらローラ３９、２６の転動によって、より円滑にスライド移動させることができる。
【００５７】
以上説明したように、この荷台昇降装置およびこれを備える車両運搬車１によれば、チェーンを用いずに、作動不良や故障を少なくし、また、メンテナンスを簡素化可能であり、さらに、作動音を低減することができる。
なお、本発明に係る貨物自動車用荷台昇降装置およびこれを備えた貨物自動車は、上記実施形態に限定されるものではなく、本発明の趣旨を逸脱しなければ種々の変形が可能である。
【００５８】
例えば、上記実施形態では、移動フレーム９は、移動フレーム本体１５と、この移動フレーム本体１５に軸支されてその支軸まわりに回動可能なアーム１８と、このアーム１８を前方に倒した倒伏位置およびその倒伏位置よりも上方に向けて起こした起立位置にそれぞれ回動させるアーム駆動シリンダ１２とを備えて構成されており、アーム１８の先端側に前記係合軸に対応する係合フック嵌合ピン２２が設けられている例で説明したが、これに限定されず、例えばスライド移動の過程で、他の部品との干渉などの問題がなければ、移動フレーム本体１５のみから移動フレームを構成し、前記係合軸に対応する係合フック嵌合ピン２２を移動フレーム本体１５に直接設ける構成としてもよい。しかし、荷台３とシャシフレーム２との間の限定されたスペースに必要な機構をコンパクトに収容しつつ他の部品との干渉などの問題を好適に回避可能に構成する上では、移動フレーム９は、移動フレーム本体１５と、この移動フレーム本体１５に軸支されてその支軸まわりに回動可能なアーム１８と、このアーム１８を前方に倒した位置およびその倒した位置よりも上方に向けて起こした位置にそれぞれ回動させるアーム駆動シリンダ１２とを備えて構成されており、アーム１８の先端に前記係合軸に対応する係合フック嵌合ピン２２が設けられていることは好ましい。
【００５９】
また、例えば上記実施形態では、前方シリンダ１０は、二本のシリンダ１３、１４をスライド方向に沿って隣接して配置してなるタンデム型の構成を例に説明したが、これに限定されず、必要なストロークを確保可能であれば、前方シリンダ１０を一本のシリンダによって構成してもよい。しかし、シャシフレーム２上の限定されたスペースに前方シリンダ１０を収容し、且つスライド移動方向へのシリンダストロークを長く確保することを可能とする上では、前方シリンダ１０を、二本のシリンダ１３、１４をスライド方向に沿って隣接して配置してなるタンデム型の構成とすることは好ましい。
【００６０】
また、例えば上記実施形態では、後方案内レール３３は、第一案内レール３８および第二案内レール３４を備えて構成されており、第二案内レール３４は、第一および第二案内レール３８、３４相互が高さ方向に離間するように、その後端部が下方に向けて湾曲して形成されている例で説明したが、これに限定されず、上記乗換機構による乗り換え後に、荷台３を地上にほぼ水平状態に降ろすことが可能であれば、例えば後方案内レール３３を一本のレールによって構成してもよい。しかし、上記乗換機構による荷台３の乗り換えを円滑に行わせることを可能とし、さらに、その乗り換え後に、荷台３を地上にほぼ水平状態に降ろすことを可能にする上では、上記実施形態のように、後方案内レール３３を、第一案内レール３８および第二案内レール３４とを備えて構成し、第一および第二案内レール３８、３４相互に移動フレーム９が掛け渡されており、移動フレーム９は、後方案内レール３３前方の位置にあっては、荷台３を移動フレーム９上に乗り換えさせる第一の案内高さに支持されるようになっており、後方案内レール３３後方の位置にあっては、移動フレーム９の後端を、荷台３を自車両の後方に降ろす上で必要な高さまで下げるように移動させつつ支持されるようになっていることは好ましい。
【００６１】
また、例えば上記実施形態では、前記乗換機構は、荷台３の前端部に設けられた係合フック２３と、移動フレーム９に設けられた係合フック嵌合ピン２２とを備えて構成されており、係合フック嵌合ピン２２は、前方案内レール３１の端部に対向する位置に位置するように設けられ、自車両の後方にスライド移動してきた係合フック２３に係合可能になっている例で説明したが、これに限定されず、荷台３を前方案内レール３１から後方案内レール３３上の移動フレーム９に受け渡し可能であれば、種々の構成が採用可能である。しかし、簡単な構成で乗換機構を構成可能とする上では、上記実施形態のように、乗換機構を、荷台３の前端部に設けられた係合フック２３と、移動フレーム９に設けられた係合フック嵌合ピン２２とを備えて構成することは好ましい。
【００６２】
また、例えば上記実施形態では、乗換機構は、係合フック２３および係合フック嵌合ピン２２相互を係合させるのみでなく、さらに、荷台前側ローラ２４は、それまで案内されていた前方案内レール３１からアーム１８に形成されている荷台前側ローラ係合溝２１に入るようになっており、いわば二重の係合手段によって係合させている例で説明したが、これに限定されず、例えば荷台前側ローラ２４を係合させずに、一つの係合手段のみによって乗換機構を構成してもよい。しかし、スライド移動時において、例えば荷台の横ずれや振れ等が確実に防止し、一層確実な乗り換えを可能とする上では、上記実施形態のように、二重の係合手段によって係合させることは好ましい。
【図面の簡単な説明】
【００６３】
【図１】本発明に係る貨物自動車用荷台昇降装置を備える貨物自動車の一実施形態である車両運搬車の側面図である。
【図２】図１での荷台の側面図である。
【図３】荷台昇降装置のスライド移動機構の平面図である。
【図４】スライド移動機構のフレーム部の説明図であり、同図（ａ）はその平面図、同図（ｂ）はその側面図である。
【図５】スライド移動機構のアクチュエータ部の説明図であり、同図（ａ）はその側面図、同図（ｂ）は同図（ａ）でのＡ矢視図、同図（ｃ）は同図（ａ）でのアーム駆動シリンダが伸長された状態の図である。
【図６】図５（ｃ）でのＺ−Ｚ断面図である。
【図７】荷台を自車両の後方に降ろす際の要部を説明する図であり、同図は図９（ａ）でのＢ部を拡大した図を示している。
【図８】スライド移動機構の動作を説明する図である。
【図９】スライド移動機構の動作を説明する図である。
【図１０】スライド移動機構の動作を説明する図である。
【図１１】スライド移動機構の動作を説明する図である。
【図１２】スライド移動機構の動作を説明する図である。
【図１３】スライド移動機構の動作を説明する図である。
【図１４】スライド移動機構の動作を説明する図である。
【図１５】スライド移動機構の動作を説明する図である。
【符号の説明】
【００６４】
１    車両運搬車（貨物自動車）
２    シャシフレーム
３    荷台
４    後煽り
５    鳥居
６    スライド移動機構
７    アクチュエータ部
８    フレーム部
９    移動フレーム
１０    前方シリンダ
１１    荷台スライドシリンダ（後方シリンダ）
１２    アーム駆動シリンダ
１３    移動シリンダ下
１４    移動シリンダ上
１５    移動フレーム本体
１６    移動フレーム後ローラ（第二の案内ローラ）
１７    移動フレーム前ローラ（第一の案内ローラ）
１８    アーム
１９    前方シリンダ連結ブラケット
２０    荷台連結ブラケット
２１    荷台前側ローラ係合溝
２２    係合フック嵌合ピン（係合軸）
２３    係合フック
２４    荷台前側ローラ
２５    縦根太
２６    荷台接地ローラ
２７    固定フレーム横根太
２８    固定フレーム縦根太
２９    固定フレーム本体
３０    ガイドフレーム
３１    前方案内レール
３２    （前方案内レールの）傾斜部
３３    後方案内レール
３４    第二案内レール
３５    直線部
３６    曲線部
３８    第一案内レール
３９    荷台縦根太受けローラ
４２    移動フレーム縦根太
４４    移動フレーム横根太
５０、５１、５２    支軸
Ｓ    積載車両（貨物）
【図１】
2008162532.tif 000003
【図２】
2008162532.tif 000004
【図３】
2008162532.tif 000005
【図４】
2008162532.tif 000006
【図５】
2008162532.tif 000007
【図６】
2008162532.tif 000008
【図７】
2008162532.tif 000009
【図８】
2008162532.tif 000010
【図９】
2008162532.tif 000011
【図１０】
2008162532.tif 000012
【図１１】
2008162532.tif 000013
【図１２】
2008162532.tif 000014
【図１３】
2008162532.tif 000015
【図１４】
2008162532.tif 000016
【図１５】
2008162532.tif 000017